(57)【要約】【課題】電子機器装置の形態を利用者が変化させる際に発生し得るタッチパネルへの誤入力を防止することができる電子機器装置を提供する。【解決手段】タッチパネルからの入力を制御する制御部は、タッチパネルの配置形態である第１の形態を検知するスイッチＳＷ１と、第２の形態を検知するスイッチＳＷ２とから検知信号を受信する。受信した検知信号によって、変化中であったタッチパネルの配置形態が変化途中を脱却したことが検知されると、ステップＳ５−３で、変化終了から計時を開始する。そして、タッチパネルの配置形態の変化終了後規定時間が経過した後に、当該タッチパネルからの入力を有効として、ステップＳ５−６においてその入力を座標位置データに変換する。【選択図】        図９
2004220253.tif 000002
【特許請求の範囲】
【請求項１】
情報の入力を受付ける入力手段と、
前記入力手段の配置形態を変化させる形態変化手段と、
前記入力手段の配置形態が、前記形態変化手段において変化途中であるか否かを検知する検知手段と、
前記検知手段において、前記入力手段の配置形態が変化途中と判断された場合に、前記入力手段における前記情報の入力を無効とし、
同じく前記検知手段において、前記入力手段の配置形態が前記変化途中から脱却したと判断された場合に、前記入力手段における前記情報の入力を有効にする情報受付手段とを備える、電子機器装置。
【請求項２】
前記形態変化手段は、前記入力手段の配置形態を第１の形態から第２の形態へ変化させ、
前記検知手段は、前記入力手段の配置形態の、前記第１の形態からの脱却と、前記第１の形態から前記第２の形態への到着とを検知することで、前記入力手段の配置形態が変化途中であるか否かを検知する、請求項１に記載の電子機器装置。
【請求項３】
前記形態変化手段は、前記入力手段の配置形態を第１の形態から第２の形態へ連続的に変化させ、
前記検知手段は、前記形態変化手段が稼動中であるか停止中であるかを検知することで、前記入力手段の配置形態が変化途中であるか否かを検知する、請求項１に記載の電子機器装置。
【請求項４】
前記情報受付手段は、前記検知手段において前記入力手段の配置形態が前記変化途中から脱却したと判断されてから、規定時間経過後に、前記入力手段における前記情報の入力を有効にする、請求項１〜３のいずれかに記載の電子機器装置。
【発明の詳細な説明】
【０００１】
【発明の属する技術分野】
この発明は電子機器装置に関し、特に、少なくとも２種の形態に変化し得る電子機器装置において適切な入力を行なうことのできる電子機器装置に関する。
【０００２】
【従来の技術】
ノート型のパーソナルコンピュータや開閉式のＰＤＡ（Ｐｅｒｓｏｎａｌ  Ｄｉｇｉｔａｌ  Ａｓｓｉｓｔａｎｔｓ）や携帯電話など、形態が変化し得る電子機器装置が広く普及している。
【０００３】
このような形態が変化し得る電子機器装置として、特許文献１は、入力デバイスとしてタッチパネルを備えた電子機器において、蓋を閉じた状態では、該蓋がタッチパネルに接触してもタッチ位置の検出がなされることなく、誤動作を防止することのできる電子機器について開示している。特許文献１に開示されている電子機器は、蓋の開閉を検知し、蓋が閉じられた時に、タッチパネルへの電圧印加を停止するものである。
【０００４】
また、特許文献２は、情報処理装置の表示部の開閉状態に応じて、多段階的な省電力モードへの移行を行なう情報処理装置について開示している。特許文献２に開示されている情報処理装置は、表示部の開閉角度を検出する２個以上のスイッチを設けることで目的を達成している。
【０００５】
【特許文献１】
特開２００２−７０７０号公報
【０００６】
【特許文献２】
特開２０００−２０１６５号公報
【０００７】
【発明が解決しようとする課題】
しかしながら、上述の特許文献１あるいは特許文献２において開示されているような従来技術では、表示部にタッチパネルを具備し、表示部が本体に対して開閉かつ回転自在に支持される等のように、少なくとも２種以上の入力可能な配置形態に成り得る電子機器装置において、利用者が表示部を回転させ、電子機器装置の形態を変化させる際に発生し得るタッチパネルへの誤入力を防止できないという問題がある。
【０００８】
本発明はこのような問題に鑑みてなされたものであって、利用者の操作に基づき、少なくとも２種の形態に変化し得る電子機器装置において、電子機器装置の形態を利用者が変化させる際に発生し得るタッチパネルへの誤入力を防止することができる電子機器装置を提供することを目的とする。
【０００９】
【課題を解決するための手段】
上記目的を達成するために、本発明のある局面に従うと、電子機器装置は、情報の入力を受付ける入力手段と、入力手段の配置形態を変化させる形態変化手段と、入力手段の配置形態が、形態変化手段において変化途中であるか否かを検知する検知手段と、検知手段において、入力手段の配置形態が変化途中と判断された場合に、入力手段における情報の入力を無効とし、同じく前記検知手段において、入力手段の配置形態が変化途中から脱却したと判断された場合に、入力手段における情報の入力を有効にする情報受付手段とを備える。
【００１０】
本発明に従えば、入力手段の配置形態の変化途中か否かを検出し、変化途中である場合には、入力手段における情報の入力を無効に、また、変化途中でない場合には、入力手段における情報の入力が有効になることから、電子機器装置の形態変化中に起こり得る利用者の入力手段への接触による誤入力を防ぐことが可能となる。
【００１１】
また、上述の形態変化手段は、入力手段の配置形態を第１の形態から第２の形態へ変化させ、検知手段は、入力手段の配置形態の、第１の形態からの脱却と、第１の形態から第２の形態への到着とを検知することで、入力手段の配置形態が変化途中であるか否かを検知することが望ましい。
【００１２】
本発明に従えば、第１の配置形態の脱却を検知した時点から、第２の配置形態への到着を検知した時点までの期間を、配置形態が変化途中状態であると判断することが可能となる。すなわち、第１の配置形態の脱却から第２の配置形態への到着の間に生じる利用者の入力手段への接触による誤入力を防ぐことが可能となる。
【００１３】
あるいは、上述の形態変化手段は、入力手段の配置形態を第１の形態から第２の形態へ連続的に変化させ、検知手段は、形態変化手段が稼動中であるか停止中であるかを検知することで、入力手段の配置形態が変化途中であるか否かを検知することが望ましい。
【００１４】
本発明に従えば、形態変化手段が稼動中であるか否かで、配置形態の変化途中か否かを判断することから、利用者の配置形態の変化操作中に生じる利用者の入力手段への接触による誤入力を防ぐことが可能となる。
【００１５】
また、上述の情報受付手段は、検知手段において入力手段の配置形態が変化途中から脱却したと判断されてから、規定時間経過後に、入力手段における情報の入力を有効にすることが望ましい。
【００１６】
本発明に従えば、規定時間経過後に入力手段における情報の入力を有効にする（規定時間経過までは無効状態を維持する）、具体的には、第１の形態から第２の形態を経由し、さらに、第３の形態へ配置形態を変化させる場合や、形態変化手段が稼動中か否かで配置形態の変化途中か否かを判断する場合における、一定期間の無効状態の維持により、比較的生じやすい、変化途中からの脱却直後の利用者の入力手段への接触による誤入力を、より確実に防ぐことが可能となる。
【００１７】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１８】
図１は、本発明の実施の形態における電子機器装置の構成を示すブロック図である。図１を参照して、電子機器装置は、一般的なパーソナルコンピュータ等が該当し、入力部であるタッチパネル１−１と、タッチパネル１−１における情報の入力を制御するタッチパネル制御部１−２と、中央処理装置であって当該電子機器装置全体の制御を行なうＣＰＵ（Ｃｅｎｔｒａｌ  Ｐｒｏｃｅｓｓｉｎｇ  Ｕｎｉｔ）１−３と、ディスプレイ等から構成される表示装置１−４と、各種情報やＣＰＵ１−３で実行するプログラム等を記憶する記憶装置１−５と、表示装置１−４およびタッチパネル１−１を含む表示部の形態の変化を認識する表示部形態変化認識部１−６と、タイマ１−７とを含む。
【００１９】
タッチパネル制御部１−２は、タッチパネル１−１からの有効な入力のみを座標位置データに変換し、ＣＰＵ１−３に前記座標位置データを送信する。
【００２０】
ＣＰＵ１−３は、タッチパネル制御部１−２から送られてきた前記座標位置データを入力座標値として処理する。タッチパネル制御部１−２へ入力される情報は、タッチパネル１−１からの出力結果、表示部形態変化認識部１−６からの出力結果、タイマ１−７からの出力結果である。
【００２１】
本実施の形態において、タイマ１−７は、所定時間経過したか否かを判定する。タイマ１−７は、計時開始の信号を受取ってから所定時間経過した場合のみタッチパネル制御部１−２に対して「１」を出力し、それ以外の場合は「０」を出力するものと定義する。
【００２２】
次に、図２は、本実施の形態における電子機器装置の外形を示す図である。図２を参照して、電子機器装置は、表示部２−１と、本体部２−２とからなる。
【００２３】
本実施の形態における電子機器装置は、表示部２−１に表示装置１−４とタッチパネル１−１とを具備し、表示部２−１が本体部２−２に対して開閉かつ１８０°回転可能に支持されている。また、表示部２−１を本体部２−２に対して１８０°回転させた後、表示部２−１を本体部に折畳むことができる。
【００２４】
図２に、表示部２−１が本体部２−２に対し開いた形態の電子機器装置の外観を示す。この形態を、第１の形態と定義する。
【００２５】
また、図３に、表示部２−１が本体部２−２に対して、第１の形態から１８０°回転した形態の電子機器装置の外観を示す。この形態を、第２の形態と定義する。
【００２６】
また、図４は、第２の形態から表示部２−１を本体部２−５側に折畳んだ形態の電子機器装置の外観を示す。この形態を、第３の形態と定義する。
【００２７】
以降の実施例１および２においては、当該電子機器装置が、第１の形態から第２の形態へと形態が変化する場合について述べる。
【００２８】
［実施例１］
実施例１における表示部形態変化認識部１−６の詳細を、図５〜８を用いて説明する。
【００２９】
図５を参照して、実施例１における表示部形態変化認識部１−６は、第１の形態検出スイッチ３−１と、第２の形態検出スイッチ３−２と、スイッチ押下部３−３とを含む。
【００３０】
実施例１においては、表示部形態変化認識部１−６は、当該電子機器装置の第１の形態もしくは第２の形態への到着を、第１の形態検出スイッチ３−１および第２の形態検出スイッチ３−２のＯＮ／ＯＦＦにて検出し、形態変化途中か否かを検出する。
【００３１】
第１の形態検出スイッチ３−１、第２の形態検出スイッチ３−２、およびスイッチ押下部３−３は、電気機器装置に図５に示すように設置される。このため、図５に示すように、電子機器装置が第１の形態にあるときは、スイッチ押下部３−３が第１の形態検出スイッチ３−１のみを押下する（スイッチ３−１：ＯＮ状態、スイッチ３−２：ＯＦＦ状態）。また、図６に示すように、電子機器装置が第２の形態にあるときは、スイッチ押下部３−３が第２の形態検出スイッチ３−２のみを押下する（スイッチ３−１：ＯＦＦ状態、スイッチ３−２：ＯＮ状態）。また、図７に示すように、利用者により表示部２−１が回転させられている途中は、スイッチ押下部３−３は両スイッチ共に押下しないため、第１の形態検出スイッチ３−１および第２の形態検出スイッチ３−２は共にＯＦＦ状態となる。
【００３２】
図８は、表示部形態変化認識部１−６に含まれる結果検出部（図示せず）の構成の具体例を示す回路図である。結果検出部は、図５〜７に示した第１の形態検出スイッチ３−１および第２の形態検出スイッチ３−２におけるスイッチの押下の結果を検出する。
【００３３】
図８を参照して、電子機器装置が第１の形態であるときは、第１の形態スイッチ３−１がＯＮ状態で、第２の形態検出スイッチ３−２がＯＦＦ状態となる。そして、第１の形態検出スイッチ３−１の結果検出部は「Ｌ」レベル信号を、第２の形態検出スイッチの結果検出部は「Ｈ」レベル信号を、タッチパネル制御１−２へ供給する。
【００３４】
また、電子機器装置が第２の形態であるときは、第１の形態スイッチ３−１がＯＦＦ状態で、第２の形態検出スイッチ３−２がＯＮ状態となる。そして、第１の形態検出スイッチ３−１の結果検出部は「Ｈ」レベル信号を、第２の形態検出スイッチ３−２の結果検出部は「Ｌ」レベル信号をタッチパネル制御部１−２へ供給する。
【００３５】
また、電子機器装置の表示部２−１が第１の形態と第２の形態の途中状態、つまり、利用者により表示部２−１が回転させられている途中は、第１の形態検出スイッチ３−１、第２の形態検出スイッチ３−２は共にＯＦＦ状態となる。そして、第１の形態検出スイッチ３−１、第２の形態検出スイッチ３−２の結果検出部は、共に「Ｈ」レベル信号をタッチパネル制御部１−２へ供給する。
【００３６】
次に、図９に示すフローチャートを用いて、実施例１の電子機器装置のタッチパネル制御部１−２における処理について説明する。図９に示される処理は、電子機器装置のＣＰＵ１−３が、記憶装置１−５に記憶されるプログラムを読出してタッチパネル制御部１−２に実行させることによって実現される。なお、以降では、第１の形態検出スイッチ３−１をＳＷ１、第２の形態検出スイッチ３−２をＳＷ２と表記する。
【００３７】
図９を参照して、タッチパネル制御部１−２においてタッチパネル制御を開始した後、ステップＳ５−１において、ＳＷ１あるいはＳＷ２が「Ｌ」であるかどうかを判定する。ＳＷ１あるいはＳＷ２が「Ｌ」である場合（Ｓ５−１でＹＥＳ）、すなわち、表示部２−１が第１の形態あるいは第２の形態のいずれかの形態である場合は、ステップＳ５−５へ進む。ＳＷ１あるいはＳＷ２が「Ｌ」でない場合（Ｓ５−１でＮＯ）、すなわち、表示部２−１が回転中であって、第１の形態と第２の形態との途中の形態である場合は、ステップＳ５−２へ進む。
【００３８】
次に、ステップＳ５−２では、ＳＷ１とＳＷ２とが共に「Ｈ」であるかどうかを判定する。ＳＷ１とＳＷ２とが共に「Ｈ」である場合（Ｓ５−２でＹＥＳ）、すなわち、表示部２−１が回転中であって、第１の形態と第２の形態との途中の形態である場合は、ステップＳ５−２へ戻り、ＳＷ１とＳＷ２とが共に「Ｈ」であるかどうかの判定を繰返す。
【００３９】
そして、ＳＷ１とＳＷ２とが共に「Ｈ」でなくなると（Ｓ５−２でＮＯ）、すなわち、表示部２−１の形態変化が終了し、第１の形態あるいは第２の形態になると、ステップＳ５−３へ進む。
【００４０】
次に、ステップＳ５−３では、計時開始信号をタイマ１−７へ送信し、ステップＳ５−４へ進む。
【００４１】
次に、ステップＳ５−４では、タイマ１−７からタッチパネル制御部１−２への入力が１かどうか、すなわち、表示部２−１の形態変化が終了してから規定時間が経過したかどうかを判定する。タイマ１−７からの入力が１でない場合（Ｓ５−４でＮＯ）、すなわち表示部２−１の形態変化が終了してから規定時間経過していない場合は、ステップＳ５−４へ戻り、規定時間が経過したかどうかの判定を繰返す。そして、タイマ１−７からの入力が１になると（Ｓ５−４でＹＥＳ）、すなわち規定時間が経過すると、ステップＳ５−５へ進む。
【００４２】
次に、ステップＳ５−５では、タッチパネル１−１からの入力があるか否かを判定する。タッチパネル１−１からの入力がない場合は（Ｓ５−５でＮＯ）、ステップＳ５−１へ戻り、上述の処理を繰返す。タッチパネル１−１からの入力がある場合は（Ｓ５−５でＹＥＳ）、ステップＳ５−６へ進む。
【００４３】
次に、ステップＳ５−６では、タッチパネル１−１からの入力を座標位置データに変換し、ステップＳ５−７へ進む。さらに、ステップＳ５−７では、変換された座標位置データをＣＰＵ１−３へ送信し、ステップＳ５−１へ戻って、上述の処理を繰返す。なお、上述のステップＳ５−６におけるタッチパネル１−１からの入力を座標位置データに変換する処理については、一般的な変換技術を用いて行なわれる処理であるため、ここでの説明は行なわない。
【００４４】
本実施の形態の電子機器装置は、実施例１において上述の処理を実行することによって、タッチパネル１−１の配置状態が、定められた第１の形態あるいは第２の形態の時以外はタッチパネル１−１からの入力を無効にすることができる。このことによって、電子機器装置の形態変化中に起こり得る利用者のタッチパネル１−１への接触による誤入力を防ぐことができる。
【００４５】
さらに、本実施の形態の電子機器装置は、実施例１において上述の処理を実行することによって、タッチパネル１−１の配置状態が、利用者操作に基づき、定められた第１の形態あるいは第２の形態に移行した後、規定時間内はタッチパネル１−１からの入力を無効にすることができる。このことによって、電子機器装置の形態変化終了と同時に利用者がタッチパネルから手を離さなくても、規定時間内の利用者によるタッチパネルへの接触は誤入力とし、認識されないようにすることができる。
【００４６】
［実施例２］
次に、実施例２における表示部形態変化認識部１−６の詳細を、図１０を用いて説明する。
【００４７】
図１０を参照して、実施例２における表示部形態変化認識部１−６は、表示部回転検出センサ４−１と、表示部回転軸４−２と、表示部開閉軸４−３とを含み、電気機器装置に図１０に示すように設置される。
【００４８】
表示部回転検出センサ４−１は、表示部回転軸４−２に取付けられており、表示部２−１の回転を検出する。本実施例では、表示部回転検出センサ４−１として具体的にはロータリーエンコーダを用いる。ロータリーエンコーダとは、回転軸に取付けてその動きを検出するセンサであり、機械式マウス、ジョグダイヤル等で利用されている。本実施例では、微小時間経過前後のロータリーエンコーダの出力値を比較し、変化があれば表示部回転軸４−２は回転中であり、変化がなければ表示部回転軸４−２は停止していると判定する。
【００４９】
すなわち、本実施例の電子機器装置の表示部形態変化認識部１−６は、先の実施例１とは異なり、形態変化を司る機構部である回転軸あるいはヒンジ部（具体的には表示部回転軸４−２）が可動中か否かに応じて、形態変化途中か否かを検出する。
【００５０】
次に、図１１に示すフローチャートを用いて、電子機器装置のタッチパネル制御部１−２における処理について説明する。図１１に示される処理もまた、電子機器装置のＣＰＵ１−３が、記憶装置１−５に記憶されるプログラムを読出してタッチパネル制御部１−２に実行させることによって実現される。
【００５１】
図１１を参照して、タッチパネル制御部１−２においてタッチパネル制御を開始した後、ステップＳ７−１において、変数Ｒ０，Ｒ１に表示部回転検出センサ４−１であるロータリーエンコーダからタッチパネル制御部１−２への入力を保持し、ステップＳ７−２へ進む。
【００５２】
次に、ステップＳ７−２では、変数Ｒ０にＲ１の値を代入し、さらに変数Ｒ１に表示部回転検出センサ４−１であるロータリーエンコーダからの入力を保持し、ステップＳ７−３へ進む。
【００５３】
次に、ステップＳ７−３では、変数Ｒ０とＲ１との値が等しいかどうかを判定する。変数Ｒ０とＲ１との値が異なる場合（Ｓ７−３でＮＯ）、すなわち、電子機器装置の表示部回転軸４−２が回転中である場合は、ステップＳ７−２およびステップＳ７−３の処理を繰返す。
【００５４】
そして、変数Ｒ０とＲ１との値が等しくなると（Ｓ７−３でＹＥＳ）、すなわち、表示部２−１の形態変化が終了表示部回転軸４−２の回転が停止し、電子機器装置の表示部回転軸４−２が停止すると、ステップＳ７−４へ進む。
【００５５】
次に、ステップＳ７−４では、計時開始信号をタイマ１−７へ送信し、ステップＳ７−５へ進む。
【００５６】
次に、ステップＳ７−５では、変数Ｒ０にＲ１の値を代入し、さらに変数Ｒ１に表示部回転検出センサ４−１であるロータリーエンコーダからの入力を保持し、ステップＳ７−６へ進む。
【００５７】
次に、ステップＳ７−６では、変数Ｒ０とＲ１との値が等しいかどうかを判定する。変数Ｒ０とＲ１との値が異なる場合（Ｓ７−６でＮＯ）、すなわち、電子機器装置の表示部回転軸４−２が回転中である場合は、ステップＳ７−２へ戻り、以降の処理を繰返す。
【００５８】
そして、タイマ１−７が計時を開始した後に変数Ｒ０とＲ１との値が等しくなると（Ｓ７−６でＹＥＳ）、すなわち、タイマ１−７で計時を開始した後に電子機器装置の表示部回転軸４−２が停止している場合、ステップＳ７−７へ進む。
【００５９】
次に、ステップＳ７−７では、タイマ１−７からタッチパネル制御部１−２への入力が１かどうか、すなわち、表示部回転軸４−２の回転が停止してから規定時間が経過したかどうかを判定する。タイマ１−７からの入力が１でない場合（Ｓ７−７でＮＯ）、すなわち表示部回転軸４−２の回転が停止してから規定時間経過していない場合は、ステップＳ７−５へ戻り、規定時間が経過したかどうかの判定を繰返す。そして、タイマ１−７からの入力が１になると（Ｓ７−７でＹＥＳ）、すなわち表示部回転軸４−２の回転が停止してから規定時間が経過すると、ステップＳ７−８へ進む。
【００６０】
次に、ステップＳ７−８では、タッチパネル１−１からの入力があるか否かを判定する。タッチパネル１−１からの入力がない場合は（Ｓ７−８でＮＯ）、ステップＳ７−２へ戻り、上述の処理を繰返す。タッチパネル１−１からの入力がある場合は（Ｓ７−８でＹＥＳ）、ステップＳ７−９へ進む。
【００６１】
次に、ステップＳ７−９では、タッチパネル１−１からの入力を座標位置データに変換し、ステップＳ７−１０へ進む。さらに、ステップＳ７−１０では、変換された座標位置データをＣＰＵ１−３へ送信し、ステップＳ７−２へ戻って、上述の処理を繰返す。なお、上述のステップＳ７−９におけるタッチパネル１−１からの入力を座標位置データに変換する処理についても、一般的な変換技術を用いて行なわれる処理であるため、ここでの説明は行なわない。
【００６２】
本実施の形態の電子機器装置は、実施例２において上述の処理を実行することによって、タッチパネル１−１の配置状態が連続的に変化する電子機器装置において、タッチパネル１−１の配置状態が利用者操作に基づき変化している最中はタッチパネル１−１からの入力を無効にすることができる。このことによって、タッチパネル１−１の配置状態が変化している最中の利用者によるタッチパネル１−１への接触は誤入力とし、認識されないようにすることができる。
【００６３】
さらに、本実施の形態の電子機器装置は、実施例２において形態変化を司る機構部が可動中か否かに応じて形態変化途中か否かを検出するため、タッチパネルの入力を無効とするタイミングあるいは期間を、第１の形態あるいは第２の形態等といったタッチパネル１−１の配置状態を考慮する必要性はない。すなわち、タッチパネル１−１の配置状態に依存することなく形態の変化開始と、変化途中からの脱却とを検知することができる。
【００６４】
このように、本実施の形態の電子機器装置は、実施例１あるいは実施例２に述べたようにタッチパネルへの誤入力を防ぐための、形態変化専用の取手を取付ける必要がない。そのため、電子機器装置の小型化を実現できる。
【００６５】
なお、本実施の形態においては、当該電子機器装置が、第１の形態から第２の形態へと形態が変化する場合について記述しているが、本実施の形態の実施例１における電子機器装置が第３の形態検出スイッチをさらに備えることによって、あるいは実施例２における電子機器装置が表示部開閉軸４−３の回転を検出する回転検出センサをさらに備えることによって、タッチパネル制御部１−２は、第３の形態を考慮したタッチパネル１−１からの入力の制御を行なうことができる。
【００６６】
さらに、上述の電子機器装置が行なうタッチパネル１−１からの入力の制御方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６７】
提供されるプログラム製品は、ハードディスクなどのプログラム格納部にインストールされて実行される。なお、プログラム製品は、プログラム自体と、プログラムが記録された記録媒体とを含む。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６９】
【発明の効果】
以上から、本発明によれば、電子機器装置の形態変化中に起こり得る利用者の入力手段への接触による誤入力を防ぐことが可能となる。そのため、誤入力防止を目的とした、入力手段の形態を変化させるため専用の取っ手を取付ける、操作スペースを確保する等の、機構、外観上の対策の必要がない。このことは、電子機器装置の構成部品の削減や装置全体の小型化等の効果を奏する。
【図面の簡単な説明】
【図１】本発明の実施の形態における電子機器装置の構成を示すブロック図である。
【図２】本実施の形態における電子機器装置の、第１の形状である場合の外形を示す図である。
【図３】本実施の形態における電子機器装置の、第２の形状である場合の外形を示す図である。
【図４】本実施の形態における電子機器装置の、第３の形状である場合の外形を示す図である。
【図５】実施例１における、第１の形態にあるときの電子機器装置の表示部形態変化認識部１−６の詳細を示す図である。
【図６】実施例１における、第２の形態にあるときの電子機器装置の表示部形態変化認識部１−６の詳細を示す図である。
【図７】実施例１における、第１の形態と第２の形態との途中の形態にあるときの電子機器装置の表示部形態変化認識部１−６の詳細を示す図である。
【図８】表示部形態変化認識部１−６に含まれる結果検出部の構成の具体例を示す回路図である。
【図９】実施例１の電子機器装置のタッチパネル制御部１−２における処理を示すフローチャートである。
【図１０】実施例２における表示部形態変化認識部１−６の詳細を示す図である。
【図１１】実施例２の電子機器装置のタッチパネル制御部１−２における処理を示すフローチャートである。
【符号の説明】
１−１  タッチパネル、１−２  タッチパネル制御部、１−３  ＣＰＵ、１−４  表示装置、１−５  記憶装置、１−６  表示部形態変化認識部、１−７  タイマ、２−１  表示部、２−２  本体部、３−１  第１の形態検出スイッチ、３−２  第２の形態検出スイッチ、３−３  スイッチ押圧部、４−１  表示部回転検出センサ、４−２  表示部回転軸、４−３  表示部開閉軸。
【図１】
2004220253.tif 000003
【図２】
2004220253.tif 000004
【図３】
2004220253.tif 000005
【図４】
2004220253.tif 000006
【図５】
2004220253.tif 000007
【図６】
2004220253.tif 000008
【図７】
2004220253.tif 000009
【図８】
2004220253.tif 000010
【図９】
2004220253.tif 000011
【図１０】
2004220253.tif 000012
【図１１】
2004220253.tif 000013